(57)【要約】  本発明は、ゴム弾性体を含むコア領域、および前記コアの周りに形成され、前記ゴム弾性体より剛性の強い樹脂（ｒｅｓｉｎ）を含むクラッド領域を含み、末端から前記コア領域が露出するチップが形成されることを特徴とする歯ブラシの毛を提供する。歯ぐきと接する末端をゴム弾性体が露出するようにチップを構成することにより、歯磨き過程中に歯ぐきを柔らかくマッサージできるという有利な効果を提供する。【選択図】図１
2015518771.tif 000002
【特許請求の範囲】
【請求項１】
シリコーン（ｓｉｌｉｃｏｎｅ）で構成されるコア領域、および
前記コア領域の周りに形成され、前記シリコーンより剛性の強い樹脂（ｒｅｓｉｎ）で構成されるクラッド領域を含む歯ブラシの毛。
【請求項２】
末端から前記コア領域が露出するチップが形成されることを特徴とする、請求項１に記載の歯ブラシの毛。
【請求項３】
前記クラッド領域の端部は前記コア領域の中心線を基準に傾斜するように形成されることを特徴とする、請求項２に記載の歯ブラシの毛。
【請求項４】
前記クラッド領域の端部には段差領域が形成されることを特徴とする、請求項２に記載の歯ブラシの毛。
【請求項５】
前記樹脂（ｒｅｓｉｎ）はポリエステル（ｐｏｌｙｅｓｔｅｒ）であることを特徴とする、請求項１に記載の歯ブラシの毛。
【請求項６】
請求項１〜５のいずれか一項に記載の歯ブラシの毛を含む歯ブラシ。
【請求項７】
シリコーン（ｓｉｌｉｃｏｎｅ）で構成されるクラッド領域、および
前記クラッド領域の内側に形成され、前記シリコーンより剛性の強い樹脂（ｒｅｓｉｎ）で構成されるコア領域を含む歯ブラシの毛。
【請求項８】
前記樹脂（ｒｅｓｉｎ）は、ポリエステル（ｐｏｌｙｅｓｔｅｒ）、ナイロン、ポリプロピレン（ｐｏｌｙｐｒｏｐｙｌｅｎｅ）およびポリエチレン（ｐｏｌｙｅｔｈｙｌｅｎｅ）のいずれか１つであることを特徴とする、請求項７に記載の歯ブラシの毛。
【請求項９】
請求項７または８に記載の歯ブラシの毛を含む歯ブラシ。
【請求項１０】
ゴム弾性体を含む第１物質で構成されるコア領域、および
前記コア領域の周りに形成され、前記ゴム弾性体より剛性の強い樹脂（ｒｅｓｉｎ）を含む第２物質で構成されるクラッド領域を含み、
末端から前記コア領域が露出するチップが形成されることを特徴とする歯ブラシの毛。
【請求項１１】
前記第１物質は、シリコーン（ｓｉｌｉｃｏｎｅ）、ポリエステル（ｐｏｌｙｅｓｔｅｒ）、ポリエチレン（ｐｏｌｙｅｔｈｙｌｅｎｅ）およびポリプロピレン（ｐｏｌｙｐｒｏｐｙｌｅｎｅ）のいずれか１つと前記ゴム弾性体が合成された素材であることを特徴とする、請求項１０に記載の歯ブラシの毛。
【請求項１２】
前記チップの長さは０．０１ｍｍ〜６ｍｍ以内であることを特徴とする、請求項１０に記載の歯ブラシの毛。
【請求項１３】
前記クラッド領域の末端は前記コア領域の中心線を基準に傾斜するように形成されることを特徴とする、請求項１０に記載の歯ブラシの毛。
【請求項１４】
前記樹脂（ｒｅｓｉｎ）は、ポリエステル（ｐｏｌｙｅｓｔｅｒ）およびナイロン（ｎｙｌｏｎ）のいずれか１つであることを特徴とする、請求項１０に記載の歯ブラシの毛。
【請求項１５】
請求項１０〜１４のいずれか一項に記載の歯ブラシの毛を含む歯ブラシ。
【発明の詳細な説明】
【技術分野】
【０００１】
本発明は、歯ブラシの毛およびそれを含む歯ブラシに関し、二重構造のチップを有する歯ブラシの毛およびそれを含む歯ブラシに関する。
【背景技術】
【０００２】
通常の歯ブラシは、取っ手に連結されたヘッドに複数の歯ブラシの毛が植栽されて構成されている。歯ブラシの毛は、物理的に歯垢を除去したり、洗浄液を歯に塗布したりして化学的に歯磨き、美白、口臭除去などを行う機能的な作業を含む。このような歯ブラシの毛はある程度の強度を有し、先端は鋭く構成される。そのため、ブラッシングを伴う歯磨き過程中に歯ブラシの毛によって歯ぐきが傷つくという問題点が発生する。
【０００３】
一方、口腔健康を改善するためには歯ぐきの管理が重要である。元気な歯ぐきを維持するには歯ぐき組織を刺激するマッサージが効果的である。しかし、ポリエステルのような樹脂で構成される歯ブラシの毛は、マッサージ過程中、歯ブラシの毛の先端によって歯ぐきが損傷する危険が大きい。
【発明の概要】
【発明が解決しようとする課題】
【０００４】
そこで、本発明は前記問題点を解決するためのものであり、歯磨き過程中に歯ぐきを柔らかくマッサージできる歯ブラシの毛およびそれを含む歯ブラシを提供することをその目的とする。
【０００５】
また、表面が滑らかで撥水性の良い歯ブラシの毛およびそれを含む歯ブラシを提供することをその目的とする。
【課題を解決するための手段】
【０００６】
前記目的を達成するための第１発明は、シリコーン（ｓｉｌｉｃｏｎｅ）で構成されるコア領域、および前記コア領域の周りに形成され、前記シリコーンより剛性の強い樹脂（ｒｅｓｉｎ）で構成されるクラッド領域を含む歯ブラシの毛を提供する。
【０００７】
好ましくは、第１発明として、末端から前記コア領域が露出するチップが形成されることができる。
【０００８】
好ましくは、第１発明として、前記クラッド領域の端部は前記コア領域の中心線を基準に傾斜するように形成されることができる。
【０００９】
好ましくは、第１発明として、前記クラッド領域の端部は段差領域が形成されることができる。
【００１０】
好ましくは、第１発明として、前記樹脂（ｒｅｓｉｎ）はポリエステル（ｐｏｌｙｅｓｔｅｒ）であることができる。
【００１１】
また、第１発明として、上記のような歯ブラシの毛を含む歯ブラシを提供することができる。
【００１２】
前記目的を達成するための他の第１発明は、シリコーン（ｓｉｌｉｃｏｎｅ）で構成されるクラッド領域、および前記クラッド領域の内側に形成され、前記シリコーンより剛性の強い樹脂（ｒｅｓｉｎ）で構成されるコア領域を含む歯ブラシの毛を提供する。
【００１３】
好ましくは、他の第１発明として、前記樹脂（ｒｅｓｉｎ）は、ポリエステル（ｐｏｌｙｅｓｔｅｒ）、ナイロン、ポリプロピレン（ｐｏｌｙｐｒｏｐｙｌｅｎｅ）およびポリエチレン（ｐｏｌｙｅｔｈｙｌｅｎｅ）のいずれか１つであることができる。
【００１４】
また、他の第１発明として、上記のような歯ブラシの毛を含む歯ブラシを提供することができる。
【００１５】
前記目的を達成するための第２発明は、ゴム弾性体を含む第１物質で構成されるコア領域、および前記コア領域の周りに形成され、前記ゴム弾性体より剛性の強い樹脂（ｒｅｓｉｎ）を含む第２物質で構成されるクラッド領域を含み、末端から前記コア領域が露出するチップが形成されることを特徴とする歯ブラシの毛を提供することができる。
【００１６】
好ましくは、第２発明として、前記第１物質は、シリコーン（ｓｉｌｉｃｏｎｅ）、ポリエステル（ｐｏｌｙｅｓｔｅｒ）、ポリエチレン（ｐｏｌｙｅｔｈｙｌｅｎｅ）およびポリプロピレン（ｐｏｌｙｐｒｏｐｙｌｅｎｅ）のいずれか１つと前記ゴム弾性体と合成された素材であることができる。
【００１７】
好ましくは、第２発明として、前記チップの長さは０．０１ｍｍ〜６ｍｍ以内であることができる。
【００１８】
好ましくは、第２発明として、前記クラッド領域の末端は前記コア領域の中心線を基準に傾斜するように形成されることができる。
【００１９】
好ましくは、第２発明として、前記樹脂（ｒｅｓｉｎ）は、ポリエステル（ｐｏｌｙｅｓｔｅｒ）およびナイロン（ｎｙｌｏｎ）のいずれか１つであることができる。
【００２０】
また、第２発明として、上記のような歯ブラシの毛を含む歯ブラシを提供することができる。
【発明の効果】
【００２１】
本発明による歯ブラシの毛およびそれを含む歯ブラシによれば、クラッド領域（外層）として樹脂を含む物質で構成し、コア領域（内層）としてゴム弾性体を含む第１物質で構成し、歯ぐきと接する末端から第１物質が露出するようにチップを構成することにより、歯磨き過程中に歯ぐきを柔らかくマッサージできる有利な効果を提供する。
また、本発明による歯ブラシの毛およびそれを含む歯ブラシによれば、第１物質にシリコーンを含むように構成して耐磨耗性、表面平滑性および撥水性を高める有利な効果を提供する。
【図面の簡単な説明】
【００２２】
【図１】本発明の好ましい第１実施形態による歯ブラシの毛およびそれを含む歯ブラシの構成を示す図である。
【図２】図１で示した歯ブラシの毛のコア領域とクラッド領域を示す図である。
【図３】図１で示した歯ブラシの毛のコア領域とクラッド領域の第１変形例を示す図である。
【図４】図１で示した歯ブラシの毛のコア領域とクラッド領域の第２変形例を示す図である。
【図５】歯ぐきに接触して弾性変形するコア領域を示す図である。
【図６】本発明の好ましい第２実施形態による歯ブラシの毛およびそれを含む歯ブラシの構成を示す図である。
【図７】図６で示した歯ブラシの毛のコア領域とクラッド領域を示す図である。
【発明を実施するための形態】
【００２３】
以下、本発明の好ましい実施形態を添付図面を参照して詳細に説明する。先ず、各図面の構成要素に参照符号を付する際に同一の構成要素に対しては、たとえ他の図面上に表示される時にも可能な限り同一の符号を付するようにしていることに留意しなければならない。また、以下では本発明の好ましい実施形態を説明するが、本発明の技術的思想はこれに限定または制限されず、当業者によって変形されて多様に実施できることは勿論である。
【００２４】
図１は、本発明の好ましい第１実施形態による歯ブラシの毛およびそれを含む歯ブラシの構成を示す図である。
このような、図１は本発明を概念的に明確に理解するために主要な特徴部分だけを明確に示したものであり、その結果、図解の様々な変形が予想され、図面に示された特定形状によって本発明の範囲が制限されるものではない。
【００２５】
図１を参照すれば、本発明の好ましい第１実施形態による歯ブラシの毛１０は、ポリエステルのような樹脂を含むクラッド領域１１、およびシリコーン（ｓｉｌｉｃｏｎｅ）からなるコア領域１２を含む。すなわち、歯ブラシの毛１０は、各々の単一毛が互いに異なる素材の二重構造をなしている。複数の歯ブラシの毛１０は取っ手１００の端部に形成されたヘッド１１０に植栽される。ゴムまたは樹脂の形態で配合できるシリコーンは柔らかくて柔軟な特徴があり、水に対する撥水性や耐水性の高い素材である。
【００２６】
歯ブラシの毛１０のクラッド領域１１は、シリコーンより強度の大きい素材で構成される。そこで、クラッド領域１１はポリエステルのような合成樹脂が用いられても良い。
【００２７】
図２は図１で示した歯ブラシの毛のコア領域とクラッド領域を示す図であり、図３は図１で示した歯ブラシの毛のコア領域とクラッド領域の第１変形例を示す図であり、図４は図１で示した歯ブラシの毛のコア領域とクラッド領域の第２変形例を示す図である。
【００２８】
図２を参照すれば、歯ブラシの毛１０のコア領域１２はゴム弾性体を含んで構成されうる。ゴム弾性体は外力によって変形した後、外力が除去されれば、本来の形状に戻る性質が非常に大きい素材である。このようなゴム弾性体はエラストマー（ｅｌａｓｔｏｍｅｒ）ともいう。
【００２９】
具体的には、コア領域１２はゴム弾性体を含む第１物質で構成されうる。ここで、第１物質とは、シリコーン（ｓｉｌｉｃｏｎｅ）、ポリエステル（ｐｏｌｙｅｓｔｅｒ）、ポリエチレン（ｐｏｌｙｅｔｈｙｌｅｎｅ）およびポリプロピレン（ｐｏｌｙｐｒｏｐｙｌｅｎｅ）などがゴム弾性体と合成されたものでありうる。コア領域１２の素材として、シリコーンが含まれる場合、耐摩耗性、表面平滑性および撥水性が高くなる。
【００３０】
歯ブラシの毛１０のクラッド領域１１はゴム弾性体より強度の大きい樹脂（ｒｅｓｉｎ）を含む第２物質で構成されうる。ここで、第２物質は、ポリエステル（ｐｏｌｙｅｓｔｅｒ）およびナイロン（ｎｙｌｏｎ）のいずれか１つでありうる。
【００３１】
このようなコア領域１２およびクラッド領域１１を有する歯ブラシの毛１０は二重構造のノズルを備えた紡糸装置を通じて製造される。
【００３２】
一方、図３および図４を併行して参照すれば、歯ブラシの毛１０の末端にチップ１２ａを形成する。そして、クラッド領域１１はコア領域１２が露出するように歯ブラシの毛１０の末端からコア領域１２より短く構成される。このとき、チップ１２ａの長さは０．０１ｍｍ〜６ｍｍ以内で形成される。より好ましくは、チップ１２ａの長さは０．０５ｍｍ〜３ｍｍ以内で形成される。
【００３３】
ここで、チップ１２ａの長さが０．０１ｍｍより小さいと、歯ぐきを柔らかくマッサージするチップ１２ａの本来の機能が落ちる。その一方、チップ１２ａの長さが６ｍｍより大きいと、歯ブラシの毛１０の柔軟性が大きすぎて洗浄性および耐久性が落ちるという問題点が発生する。
【００３４】
一方、クラッド領域１１の第１変形例として、その端部はコア領域１２の中心線（ＣＬ）を基準に傾斜するように形成される傾斜面（１１ａ−１）を備えうる。言い換えれば、クラッド領域が環状１１に構成されれば、クラッド領域１１の端部は末端に行くほどその外径が小さくなる形態を備えうる。
【００３５】
一方、クラッド領域１１の第２変形例として、その端部は段差領域（１１ａ−２）が形成された形態を備えうる。
これは、クラッド領域１１とコア領域１２の段差を最小化して、歯ブラシの毛１０が歯または歯ぐきに柔らかく接触するためである。
【００３６】
このようなチップ１２ａは二重構造に製造された歯ブラシの毛１０を微細毛加工して形成される。具体的には、チップ１２ａは二重構造に紡糸された歯ブラシの毛１０を酸またはアルカリ溶液に浸漬した後、テーパー（ｔａｐｅｒ）加工によって形成されうる。また、チップ１２ａは二重構造に紡糸された歯ブラシの毛１０をグラインダーを用いた練磨加工によって形成されうる。
【００３７】
図５は、歯ぐきに接触して弾性変形するコア領域を示す図である。
図５を参照すれば、コア領域１２が歯ぐき（ｇ）に接触して弾性変形することにより、歯ぐきを柔らかくマッサージできることが分かる。
【００３８】
図６は本発明の好ましい第２実施形態による歯ブラシの毛およびそれを含む歯ブラシの構成を示す図であり、図７は図６で示した歯ブラシの毛のコア領域とクラッド領域を示す図である。
【００３９】
図６および図７を併行して参照すれば、本発明の好ましい第２実施形態による歯ブラシの毛２０は、シリコーンからなるクラッド領域２１、およびポリエステル、ナイロン、ポリプロピレン（ｐｏｌｙｐｒｏｐｙｌｅｎｅ）およびポリエチレン（ｐｏｌｙｅｔｈｙｌｅｎｅ）のいずれか１つの樹脂からなるコア領域２２を含む。複数の歯ブラシの毛２０は取っ手２００の端部に形成されたヘッド２１０に植栽される。
【００４０】
第２実施形態において、歯ブラシの毛２０は、外層に該当するクラッド領域２１をシリコーンで構成することにより、歯ブラシの毛の表面を滑らかに構成し、歯ブラシの毛の撥水性を高めるという利点がある。
【００４１】
以上の説明は本発明の技術思想を例示的に説明したものに過ぎず、本発明が属する技術分野で通常の知識を有した者であれば、本発明の本質的な特性を逸脱しない範囲内で様々な修正、変更および置換を行うことができる。したがって、本発明に開示された実施形態および添付された図面は本発明の技術思想を限定するためのものでなく説明するためのものであり、このような実施形態および添付された図面によって本発明の技術思想の範囲が限定されるものではない。本発明の保護範囲は下記の請求範囲によって解釈しなければならず、それと同等な範囲内にある全ての技術思想は本発明の権利範囲に含まれると解釈しなければならない。
【符号の説明】
【００４２】
１１  ・・・クラッド領域
１１ａ−１  ・・・傾斜面
１１ａ−２  ・・・段差領域
１２  ・・・コア領域
１２ａ  ・・・チップ
【図１】
2015518771.tif 000003
【図２】
2015518771.tif 000004
【図３】
2015518771.tif 000005
【図４】
2015518771.tif 000006
【図５】
2015518771.tif 000007
【図６】
2015518771.tif 000008
【図７】
2015518771.tif 000009
【国際調査報告】
2015518771.tif 000010
2015518771.tif 000011
2015518771.tif 000012
2015518771.tif 000013
2015518771.tif 000014
2015518771.tif 000015
2015518771.tif 000016
2015518771.tif 000017
2015518771.tif 000018
2015518771.tif 000019